(57)【要約】【課題】電子メールを送信する際、電子メールサーバでの中継の有無に関わらず、リアルタイムで確実に電子メールの送達確認ができるようにすることを目的とする。【解決手段】電子メールを他の端末に対し送信する機能と、受信する機能との少なくともいずれか一方の機能を持つ通信制御部１０と、他の端末と電子メール通信とは別に呼接続通信を行う呼制御部８とを具備し、呼制御部８は電子メールによるデータのやり取りを開始する前、他の端末との呼接続を確立し、データのやり取りを終了後、他の端末との呼接続を切断することを特徴とする。これにより、電子メールを送信する際電子メールサーバ５での中継の有無に関わらず、リアルタイムで確実に電子メールの送達確認ができる。【選択図】図２
2008197880.tif 000002
【特許請求の範囲】
【請求項１】
電子メールを他の端末に対し送信する機能と、受信する機能との少なくともいずれか一方の機能を持つ通信制御手段と、前記他の端末と電子メール通信とは別に呼接続通信を行う呼制御手段とを具備し、前記呼制御手段は、前記通信制御手段による電子メールの送信または受信の前に、前記他の端末との呼接続を確立し、前記他の端末との電子メールの通信後、前記他の端末との呼接続を切断することを特徴とするIP通信装置。
【請求項２】
原稿を読み取り原稿データを生成する原稿入力手段を備え、前記通信制御手段は、前記読み取った原稿データを電子メールとして前記他の端末に送信することを特徴とする請求項１記載のIP通信装置。
【請求項３】
前記呼制御手段により前記他の端末との呼接続が確立しないとき、電子メールの送信を行わないことを特徴とする請求項１または請求項２記載のIP通信装置。
【請求項４】
電子メールデータを前記他の端末が受信可能な形態に変換するデータ変換手段を具備し、前記呼制御手段による前記他の端末との呼接続の確立中に、送信可能な電子メールの送信条件を前記他の端末に送信し、前記他の端末から前記他の端末の受信可能な電子メールの受信条件を受信し、前記データ変換手段により前記受信した受信条件に合わせて電子メールデータを変換し、前記通信制御手段により前記変換した電子メールデータを前記他の端末に送信することを特徴とする請求項１から請求項３のいずれかに記載のIP通信装置。
【請求項５】
ランダムな文字列からなる使い捨て電子メールアドレスを生成するメールアドレス生成手段と、電子メールを受信したときの宛先メールアドレスと前記生成した使い捨て電子メールアドレスとを照合するアドレス照合手段とを具備し、前記呼制御手段による前記他の端末との呼接続の確立中に、前記生成したメールアドレスを前記他の端末に送信し、前記通信制御手段により前記他の端末から電子メールを受信する際、前記アドレス照合手段により受信した電子メールの宛先メールアドレスと前記生成した使い捨てメールアドレスとが一致したとき、当該電子メールデータを受信することを特徴とする請求項１から請求項４のいずれかに記載のIP通信装置。
【請求項６】
前記呼制御手段による前記他の端末との呼接続の確立中に、前記他の端末から前記他の端末が生成した使い捨て電子メールアドレスを受信し、前記通信制御手段により前記他の端末に電子メールを送信する際、前記受信した使い捨て電子メールアドレスを宛先メールアドレスとして電子メールを送信することを特徴とする請求項１から請求項５のいずれかに記載のIP通信装置。
【請求項７】
電子メールを受信したときの送信元メールアドレスと使い捨て電子メールアドレスとを照合するアドレス照合手段を具備し、前記呼制御手段による前記他の端末との呼接続の確立中に、前記他の端末から使い捨て電子メールアドレスを受信し、前記通信制御手段により前記他の端末から電子メールを受信する際、前記アドレス照合手段により受信した電子メールの送信元メールアドレスと前記使い捨てメールアドレスとが一致したとき、当該電子メールデータを受信することを特徴とする請求項１から請求項４のいずれかに記載のIP通信装置。
【請求項８】
前記メールアドレス生成手段は、使い捨て電子メールアドレスを電子メールの送信毎に新しく生成することを特徴とする請求項５記載のIP通信装置。
【請求項９】
他の端末との通話を制御する音声制御手段を具備し、前記呼制御手段が、前記通信制御手段による電子メールの送信または受信の前に前記他の端末との呼接続を確立したとき前記音声制御手段による通話が開始され、前記呼制御手段が、前記他の端末が電子メールを受信した後に前記他の端末との呼接続を切断するとき前記音声制御手段による通話を終了することを特徴とする請求項１記載のIP通信装置。
【請求項１０】
他の端末と電子メールを通信する前、前記他の端末と電子メール通信とは別に呼接続を確立し、前記他の端末との電子メール通信後、前記他の端末との前記呼接続を切断するＩＰ通信方法。
【請求項１１】
前記他の端末との呼接続の確立中に、送信可能な電子メールの送信条件を前記他の端末に送信し、前記他の端末から前記他の端末の受信可能な電子メールの受信条件を受信し、前記受信した受信条件に合わせて電子メールデータを変換し、前記変換した電子メールデータを前記他の端末に送信することを特徴とする請求項１０記載のＩＰ通信方法。
【請求項１２】
ランダムな文字列からなる使い捨て電子メールアドレスを生成し、前記他の端末との呼接続の確立中に、前記生成したメールアドレスを前記他の端末に送信し、前記他の端末から電子メールを受信する際、電子メールを受信したときの宛先メールアドレスと前記生成した使い捨てメールアドレスとが一致したとき、当該電子メールデータを受信することを特徴とする請求項１０または請求項１１記載のＩＰ通信方法。
【発明の詳細な説明】
【技術分野】
【０００１】
本発明は、電子メールを送受信するIP通信装置に関するものである。
【背景技術】
【０００２】
従来、電子メールは電子メールサーバを介して通信を行うため、送信端末が電子メールサーバまで送信できたか否かはリアルタイムに確認することができるが、受信端末とは直接通信することがないため、受信端末が受け取ったか否か、または送信が途中で失敗した場合であっても、リアルタイムに確認することができなかった。
【０００３】
そのため、電子メールを送信する場合、電子メールサーバを介さずに端末同士で直接通信を行うことにより、電子メールの送達確認を行っていた（例えば、特許文献１参照）。
【特許文献１】特開２００２−２７１９３号公報
【発明の開示】
【発明が解決しようとする課題】
【０００４】
しかしながら、上記従来の方法では送信端末と受信端末とが直接通信を行う場合は、電子メールの送達確認をできるが、従来のように電子メールサーバを用いる方法では送達確認ができなかった。
【０００５】
本発明は上記従来の課題を解決するもので、電子メールを送信する際に電子メールサーバの中継の有無に関わらず、リアルタイムで確実に電子メールの送達確認ができるようにすることを目的とする。
【課題を解決するための手段】
【０００６】
上記課題を解決するために本発明は、電子メールを他の端末に対し送信する機能と、受信する機能との少なくともいずれか一方の機能を持つ通信制御手段と、前記他の端末と電子メール通信とは別に呼接続通信を行う呼制御手段とを具備し、前記呼制御手段は、前記通信制御手段による電子メールの送信または受信の前に、前記他の端末との呼接続を確立し、前記他の端末との電子メールの通信後、前記他の端末との呼接続を切断することを特徴とする。
【発明の効果】
【０００７】
本発明によれば、電子メールを送信する際、電子メールサーバの中継の有無に関わらず、リアルタイムで確実に電子メールの送達確認ができる。
【発明を実施するための最良の形態】
【０００８】
本発明は、電子メールを他の端末に対し送信する機能と、受信する機能との少なくともいずれか一方の機能を持つ通信制御手段と、前記他の端末と電子メール通信とは別に呼接続通信を行う呼制御手段とを具備し、前記呼制御手段は、前記通信制御手段による電子メールの送信または受信の前に、前記他の端末との呼接続を確立し、前記他の端末との電子メールの通信後、前記他の端末との呼接続を切断することを特徴とする。
【０００９】
その具体的な実施の形態として、原稿を読み取り原稿データを生成する原稿入力手段を備え、前記通信制御手段は、前記読み取った原稿データを電子メールとして前記他の端末に送信することを特徴とする。
【００１０】
上記呼制御手段により前記他の端末との呼接続が確立しないとき、電子メールの送信を行わないことを特徴とする。
【００１１】
また、電子メールデータを前記他の端末が受信可能な形態に変換するデータ変換手段を具備し、前記呼制御手段による前記他の端末との呼接続の確立中に、送信可能な電子メールの送信条件を前記他の端末に送信し、前記他の端末から前記他の端末の受信可能な電子メールの受信条件を受信し、前記データ変換手段により前記受信した受信条件に合わせて電子メールデータを変換し、前記通信制御手段により前記変換した電子メールデータを前記他の端末に送信することを特徴とする。
【００１２】
さらに、ランダムな文字列からなる使い捨て電子メールアドレスを生成するメールアドレス生成手段と、電子メールを受信したときの宛先メールアドレスと前記生成した使い捨て電子メールアドレスとを照合するアドレス照合手段とを具備し、前記呼制御手段による前記他の端末との呼接続の確立中に、前記生成したメールアドレスを前記他の端末に送信し、前記通信制御手段により前記他の端末から電子メールを受信する際、前記アドレス照合手段により受信した電子メールの宛先メールアドレスと前記生成した使い捨てメールアドレスとが一致したとき、当該電子メールデータを受信することを特徴とする。
【００１３】
上記呼制御手段による前記他の端末との呼接続の確立中に、前記他の端末から前記他の端末が生成した使い捨て電子メールアドレスを受信し、前記通信制御手段により前記他の端末に電子メールを送信する際、前記受信した使い捨て電子メールアドレスを宛先メールアドレスとして電子メールを送信することを特徴とする。
【００１４】
また、電子メールを受信したときの送信元メールアドレスと使い捨て電子メールアドレスとを照合するアドレス照合手段を具備し、前記呼制御手段による前記他の端末との呼接続の確立中に、前記他の端末から使い捨て電子メールアドレスを受信し、前記通信制御手段により前記他の端末から電子メールを受信する際、前記アドレス照合手段により受信した電子メールの送信元メールアドレスと前記使い捨てメールアドレスとが一致したとき、当該電子メールデータを受信することを特徴とする。
【００１５】
上記メールアドレス生成手段は、使い捨て電子メールアドレスを電子メールの送信毎に新しく生成することを特徴とする。
【００１６】
また、他の端末との通話を制御する音声制御手段を具備し、前記呼制御手段が、前記通信制御手段による電子メールの送信または受信の前に前記他の端末との呼接続を確立したとき前記音声制御手段による通話が開始され、前記呼制御手段が、前記他の端末が電子メールを受信した後に前記他の端末との呼接続を切断するとき前記音声制御手段による通話を終了することを特徴とする。
【００１７】
また、他の端末と電子メールを通信する前、前記他の端末と電子メール通信とは別に呼接続を確立し、前記他の端末との電子メール通信後、前記他の端末との前記呼接続を切断する方法である。
【００１８】
また、前記他の端末との呼接続の確立中に、送信可能な電子メールの送信条件を前記他の端末に送信し、前記他の端末から前記他の端末の受信可能な電子メールの受信条件を受信し、前記受信した受信条件に合わせて電子メールデータを変換し、前記変換した電子メールデータを前記他の端末に送信することを特徴とする方法である。
【００１９】
さらに、ランダムな文字列からなる使い捨て電子メールアドレスを生成し、前記他の端末との呼接続の確立中に、前記生成したメールアドレスを前記他の端末に送信し、前記他の端末から電子メールを受信する際、電子メールを受信したときの宛先メールアドレスと前記生成した使い捨てメールアドレスとが一致したとき、当該電子メールデータを受信することを特徴とする方法である。
【実施例】
【００２０】
以下本発明の実施例について図面を参照して説明する。
【００２１】
（実施例１）
本実施例では、IP通信装置の一例として、原稿データを添付して電子メールを送信するインターネットファックス（IFAX）について述べる。図１においてネットワーク１上に２つのIFAXであるIFAX−A２、IFAX−B３、呼接続通信を行うSIPサーバ４、電子メールをやり取りする電子メールサーバ５、DNSサーバ６等が接続されている。図２にIFAXの構成について示す。IFAX−A２は以下のような構成であり、IFAX−B３も同様の構成である。
【００２２】
ネットワークインターフェース部７には、呼接続通信を行う呼制御部８、音声制御部９、電子メールを送受信する通信制御部１０、ネットワークインターフェース部７を制御するネットワーク制御部１１が接続されている。また、呼制御部８には、電話番号を入力するダイヤル部１２、通信相手装置と呼接続通信を行う際に用いるIPアドレスおよび電子メール通信する際に用いるメールアドレスと、電話番号とを管理するアドレステーブル管理部１３が接続され、音声制御部９には受話器のような音声を入出力する音声入出力部１４が接続されている。さらに、通信制御部１０には、送信する原稿を読み取る原稿入力部１５、受信した原稿を記録する原稿出力部１６が接続されている。上記IFAXはネットワークインターフェース部７からネットワーク１に接続されている。
【００２３】
以上のように構成されたIP通信装置についてその動作を以下に説明する。
【００２４】
IFAX−A２、及びIFAX−B３は電源を入れた際、および定期的間隔でSIPサーバ４に、自らのIPアドレスと例えば電話番号等の識別名の登録または登録更新を行っている。このため、SIPサーバ４は、IFAX-A２から登録がない場合または登録更新がない場合には、IFAX−A２が通信可能な状態でないことを確認できる。IFAXで原稿を送信する際には、ダイヤル部１２から電話番号をダイヤルすると、原稿入力部１５において送信する原稿を読み取り、この読み取ったデータが電子メールデータとして送信される。
【００２５】
この電子メールデータを送受信する際の動作を図３に示す。ユーザが原稿入力部１５に原稿をセットし（３０１）、IFAX−B３の電話番号をダイヤル部１２から入力すると（３０２）、原稿の読み取りが開始される（３０３）。また、アドレステーブル管理部１３に管理されている電話番号、電子メールアドレス、及びIPアドレスから、ダイヤルされた電話番号に対応するIFAX−B3のIPアドレス及び電子メールアドレスを取得する。次に、IFAX−A２はIFAX−B３に電子メールを送信する前に、SIPを用いて呼接続を確立する。IFAX−A２は、セッション確立要求である「INVITE」をSIPサーバ４を介してIFAX−B３に送る（３０４）。
【００２６】
このとき、IFAX−B３の電源が入っていない等の理由によりIFAX−Ｂ３がSIPサーバ４に登録されていない場合は、SIPサーバ４はエラー応答をIFAX−A２に返信し、電子メールを送信せずに終了する。
【００２７】
これにより、呼接続が確立できない場合、電子メールの送信を行わないため、電子メールサーバ５等に負荷をかけずに通信を終了することができる。
【００２８】
ここで、「INVITE」メッセージの構成例を図４に示す。「INVITE」メッセージはリクエスト行、メッセージヘッダ、メッセージボディにより構成されている。リクエスト行には、このメッセージが「INVITE」であることを示し、メッセージヘッダにはそのリクエストのあて先や、送信元等が記載され、メッセージボディには、送信元のIPアドレス、呼接続確立後の送信条件等が記載されている。図４の場合、あて先はメッセージヘッダの「To:」に記載された「ifaxb.com」、送信元は同じくメッセージヘッダの「From:」に記載された「ifaxa.com」、送信元のIPアドレスはメッセージボディの「o=」にユーザ名、セッションＩＤとともに記載された「192.168.1.1」、送信条件はメッセージボディの「m=」に記載された「image 25 smtp tcp」となっており、ここで「25」はポート番号を、「smtp」「tcp」は電子メールを使用することを表し、以下「a＝iso_a4 iso_b4 tiff b/w」として電子メールで送信する原稿をTIFF形式でA４またはB4のサイズの白黒で送信することが記載されている。
【００２９】
IFAX−B３は、「INVITE」を受け取ると、IFAX−A２に対して、「１８０  RINGING」をSIPサーバ４を介してIFAX−Ａ２に送信し（３０５）、IFAX−B３が呼び出し状態になったことを知らせる。IFAX−B３が通信可能状態になると「２００  OK」をIFAX−A２に送信し（３０６）、このとき「２００  OK」には、「INVITE」で受け取ったページ情報の内IFAX−B３が受信可能な条件を示す情報を付加している。
【００３０】
受信可能な条件を示す情報を付加した「２００  OK」メッセージの構成例を図５に示す。「２００  OK」メッセージは「INVITE」メッセージと同様にリクエスト行、メッセージヘッダ、メッセージボディから構成され、リクエスト行には「２００  OK」であるということが記載されている。メッセージヘッダには、あて先や、送信元などメッセージの内容が記載されており、メッセージボディには、受信元のIPアドレス（192.168.1.2）、受信を希望する送信条件が記載されている。上記送信条件は、「INVITE」に記載されていた情報の中から受信可能なものを選択し送信しており、図５では「a＝iso_a4 tiff b/w」とし、TIFF形式のA４サイズの白黒で受信可能であることが記載されている。
【００３１】
IFAX−A２が「２００  OK」を受け取ると、確認応答である「ACK」をIFAX−B３へ返し、呼接続を確立する（３０７）。
【００３２】
次に、SMTPを使い原稿入力部１５で読み取った原稿のデータをページ毎に送信する。IFAX−A２は、IFAX−B３に対して電子メール通信のセッションの開始要求である「HELO」を送信する。
【００３３】
このとき、「HELO」は３０１でIFAX−B３のメールアドレス「ifaxb.com」に送信されるが、通常電子メールサーバ５を経由して送信される。そのため、IFAX−B３に対して「HELO」の送信は、「HELO」をIFAX−A２から電子メールサーバ５に送信し（３０８）、受け取った電子メールサーバ５は、そのメールアドレスから「NSLOOKUP」を用いてDNSサーバ６に問い合わせ（３０９）、DNSサーバ６が電子メールサーバ５に対しIPアドレス（192.168.1.2）を返し（３１０）、IFAX−B３に対して「HELO」を再送する（３１１）。この「HELO」を受けたIFAX−B３は、「HELO」と同様に電子メールサーバ５を介して、「２５０  OK」を返し（３１２）、電子メールサーバ５は、NSLOOKUPを用いて、DNSサーバ６に対し「２５０  OK」に記載された送信元（IFAX−A２）のメールアドレスからIPアドレスを要求する（３１３）。DNSサーバ６は電子メールサーバ５に対し、IFAX−A２のIPアドレス（192.168.1.1）を返し（３１４）、電子メールサーバ５はIFAX−A２に対して「２５０  OK」を送信する（３１５）。
【００３４】
その後、IFAX−A２は電子メールサーバ５を介してIFAX−B３に対して「MAIL」により、送信元、つまりIFAX−A２のメールアドレスを送信し、IFAX−B３に電子メール処理を要求する（３１６）。このときの宛先のメールアドレス（IFAX−B３のメールアドレス）は、ダイヤル入力されたときにアドレステーブル管理部１３から取得したIFAX−B３のメールアドレスを用いる。この「MAIL」に対し、IFAX−B３は「２５０  OK」を電子メールサーバ５を介して返し（３１７）、これを受け取ったIFAX−A２は「RCPT」により、受信者、つまりIFAX−B３を指定する（３１８）。IFAX−B３は「RCPT」を受け取ると、「２５０  OK」を電子メールサーバ５を介してIFAX−A２に対して返し（３１９）、IFAX−A２が電子メールデータを送信できる状態にする。
【００３５】
上記処理の後、IFAX−A２は原稿入力部１５が読み取った原稿データを３０６で受信したIFAX−B３が受信可能な条件であるTIFF形式のA４サイズの白黒のデータとして送信する（３２０）。データの送信が終了すると、IFAX−B３の原稿出力部１６は受け取った１ページ分のデータの出力を開始する（３２１）。また、IFAX−B３は、IFAX−A2に対しデータを受け取ったことを示す「２５０  OK」を返し（３２２）、これを受け取ったIFAX−A２は電子メールデータの送信終了を示す「QUIT」をIFAX−B２に送信し（３２３）、その確認応答である「２５０  OK」をIFAX−B３から受け取る（３２４）ことで、送信する原稿の１ページ目が終了したことを確認する（３２５）。原稿入力部１５において、読み取る原稿がある場合にはページ毎に３０４〜３２５を繰り返し、原稿を送信し、送信する原稿がなくなれば、IFAX−A２は「BYE」をIFAX−B３に対して送信し（３２６）、IFAX−B３が「２００  OK」を返す（３２７）ことにより、呼接続を切断する。
【００３６】
ここで、送信端末であるIFAX−A２の動作について図６に示す。ユーザがIFAX−A２に原稿をセットし（６０１）、相手の番号をダイヤルする（６０２）と、IFAX−A2は原稿入力部１５にセットされた原稿の読み取りを開始する（６０３）。IFAX−A２は電子メールを送信する前に、まずIFAX−B３と呼接続を確立するために、SIPを用いて、「INVITE」を送信する（６０４）。この「INVITE」には、IFAX−A2の原稿の送信条件が記載されている。IFAX−B３から「INVITE」に対する「２００  OK」を受け取るまで待機する（６０５）。この「２００  OK」には、IFAX−B３の原稿の受信条件が記載されている。「２００  OK」を受け取ると、呼接続を確立したと判断し、SMTPにより「HELO」（６０６）、「MAIL」（６０７）、「RCTP」（６０８）を順に送信し、電子メールデータを送信できる状態になったら、６０５で受信した「２００  OK」に記載されたIFAX−B３の原稿の受信条件に合わせて原稿読み取り部１５で読み取った１ページ分のデータを変換する（６０９）。変換後の１ページ分のデータを送信する（６１０）。IFAX−B３からデータの受け取りを確認する（６１１）と、「QUIT」をIFAX−B３に送信し、１ページ分のデータの送信を終了する（６１２）。読み取ったすべての原稿の送信を終了するまで、再度「INVITE」を送信して、SMTPによりデータを送信し、すべての原稿を送信したら（６１３）、「BYE」を送信し（６１４）、呼接続を切断する。
【００３７】
また、受信端末であるIFAX−B３の動作について図７に示す。IFAX−B３は、送信端末から呼接続要求である「INVITE」を受け取る（７０１）と、送信端末IFAX−A2の原稿の送信条件を「INVITE」から読み出して、送信条件の中から自端末が受信可能な条件を判断する（７０２）。自端末が受信可能な条件を記載して「２００  OK」を返し、呼接続を確立する（７０３）。その後、SMTPによる「HELO」（７０４）、「MAIL」（７０５）、「RCTP」（７０６）をそれぞれ受け取り、送信されてきた１ページ分のデータを受信する（７０７）。この受信したデータを原稿出力部１６からデータの出力を開始し（７０８）、データを受け取ったことを「２５０  OK」として送信端末に送信し（７０９）、電子メールの終了合図である「QUIT」を受信する（７１０）と１ページの終了を判断し、送信端末から「BYE」を受信するまで上記動作を繰り返し、データを出力する。「BYE」を受信する（７１１）と、呼接続を切断し終了する。
【００３８】
これにより、電子メールを送信する際、SIPにより端末間で呼接続通信を確立させるため、電子メールを送信する際、電子メールサーバ５の中継の有無に関わらず、リアルタイムで確実に電子メールの送達確認ができる。なお、電子メールの送達が正常に行われなかった場合においても、呼接続が確立されているため、呼接続を切断するまで容易に再送することができる。
【００３９】
また、呼接続通信の確立中は、第三者からの呼接続要求を受け付ないため、第三者から通信を妨げられることなく、電子メールの送信を行うことができる。
【００４０】
また、本実施例では、電子メールを送信する際、直接IPアドレスを指定することで、電子メールサーバ５を介さず直接送信することができる。
【００４１】
また、SIPによる「INVITE」と「２００  OK」との応答により、「INVTE」メッセージ毎の送信条件を設定にすることが可能であるから、１ページ毎に送信条件を変更することができる。
【００４２】
（実施例２）
次に、ランダムに生成した使い捨て電子メールアドレスを使用して電子メールを送信するIFAXについて、図８〜１３を用いて説明する。図８は、電子メールアドレスを生成するIFAXの機能ブロック図である。電子メールアドレス生成部１７を備えた点のみ実施例１の図２とは異なる。なお、実施例１と同一構成部分については便宜上同一符号を付し、その具体的な説明は実施例１のものを援用する。
【００４３】
図９に、ランダムに生成した使い捨て電子メールアドレスを用いて、電子メールを送信する際の動作について示す。まず、ユーザが原稿入力部１５に原稿をセットし（９０１）、IFAX−B３の電話番号をダイヤル部から入力すると（９０２）、原稿の読み取りが開始される（９０３）。また、アドレステーブル管理部１３に管理されている電話番号、IPアドレスから、ダイヤルされた電話番号に対応するIFAX−B3のIPアドレスを取得する。
【００４４】
ここで、IFAX−A２は、電子メールアドレス生成部１７により自分のホスト名（ifaxa.com）とランダムな英数字との組み合わせから「xxx@ifaxa.com」（xxxはランダムの英数字）の電子メールアドレス（使い捨て電子メールアドレス）を生成し（９０４）、IFX−A２はIFAX−B３に「INVITE」をSIPサーバ４を介して送信する（９０５）。
【００４５】
上記「INVITE」メッセージの構成例を図１０に示す。「INVITE」メッセージはリクエスト行、メッセージヘッダ、メッセージボディにより構成されている。リクエスト行には、このメッセージが「INVITE」であることを示し、メッセージヘッダにはそのリクエストのあて先や、送信元等が記載され、メッセージボディには、送信元のIPアドレス、呼接続確立後の送信条件等が記載されている。図１０の場合、あて先はメッセージヘッダの「To:」に記載された「ifaxb.com」、送信元は同じくメッセージヘッダの「From:」に記載された「ifaxa.com」、送信元のIPアドレスはメッセージボディの「o=」に記載された「192.168.1.1」、送信条件はメッセージボディの「m=」に記載された「image 25 smtp tcp」となっており電子メール通信を表し、以下「a＝iso_a4 iso_b4 tiff b/w」として電子メールで送信する原稿をTIFF形式でA４またはB4のサイズの白黒で送信することが記載されている。さらに、図１０のメッセージボディの最後の「o=」には電子メールアドレス生成部１７により生成した電子メールアドレス（xxx@ifaxa.com）が記載されている。
【００４６】
IFAX−B３は、「INVITE」を受け取ると、IFAX−A２に対して、「１８０  RINGING」を送信し（９０６）、IFAX−A2と同様に、電子メールアドレス生成部１７により自分のホスト名（ifaxb.com）から「yyy@ifaxb.com」（yyyはランダムの英数字）の電子メールアドレスを生成する（９０７）。このメールアドレスを図１１に示すように「２００  OK」メッセージのメッセージボディの最後の「o=」に記載し、IFAX−A２へ送信し（９０８）、受信したIFAX−A２は、「ACK」をIFAX−B３へ返し、呼接続を確立する（９０９）。
【００４７】
次に、SMTPを使い原稿入力部１５で読み取った原稿のデータをページ毎に送信する。IFAX−A２は、実施例１と同様の手順により、IFAX−B３に対して電子メール通信のセッションの開始要求である「HELO」を送信する（９１０〜９１３）。この「HELO」を受けたIFAX−B３は実施例１と同様の手順により、IFAX−A２に対して、「２５０  OK」を返す（９１４〜９１７）。
【００４８】
その後、IFAX−A２はIFAX−B３に対して「MAIL」を送信する（９１８）。このときの宛先メールアドレスは９０８で受信したIFAX−B３の使い捨て電子メールアドレスを用いる。上記「MAIL」には、９０４で生成した使い捨て電子メールアドレス（xxx@ifaxa.com）を発信元の電子メールアドレスとして含んでいる。受け取ったIFAX−B３は、「２５０  OK」を返す（９１９）。「２５０  OK」を受けたIFAX−A２は、９０８で受け取ったIFAX−B３の電子メールアドレス（yyy@ifaxb.com）宛に送信する（９２０）。「RCTP」を受け取ったIFAX−B３は、「RCTP」に含まれた送信先の電子メールアドレス（yyy@ifaxb.com）と９０８でIFAX−A２に送信した電子メールアドレス（yyy@ifaxb.com）とが一致しているか確認し（９２１）、一致していれば「２５０  OK」を返す（９２２）。
【００４９】
これにより、電子メールアドレス生成部１７でランダムに生成して呼接続された通信相手に予め通知しておいた電子メールアドレスと、その後に電子メールを受信した際の送信先である自己の電子メールアドレスとが一致しない場合、その後の動作を行わないため、迷惑メール等の受信を防ぐことができる。
【００５０】
その後、IFAX−A２は電子メールデータを送信し（９２３）、IFAX−B３は受け取ったデータを出力し（９２４）、実施例１と同様の手順により１ページ分のデータ送信を終了する（９２５〜９２８）。原稿入力部１５において、読み取る原稿がある場合にはページ毎に９０５〜９２８を繰り返し、原稿を送信する。上記動作により送信する原稿がなくなれば、IFAX−A２は「BYE」をIFAX−B３に対して送信し（９２９）、IFAX−B３が「２００  OK」を返す（９３０）ことにより、呼接続を切断する。
【００５１】
ここで、送信端末であるIFAX−A２の動作について図１２に示す。ユーザがIFAX−A２に原稿をセットし（１２０１）、相手の番号をダイヤルすると（１２０２）、IFAX−A2は原稿入力部１５にセットされた原稿の読み取りを開始する（１２０３）。そして、電子メールアドレス生成部１７により自分のホスト名にランダムな英数字を付け加える形で電子メールアドレスを生成する（１２０４）。この電子メールアドレスを、「INVITE」に付加して送信し、受信端末から「２００  OK」を受け取ると、呼接続を確立したと判断する（１２０５〜１２０６）。受信端末から受け取った「２００  OK」には、受信端末が生成した受信端末の電子メールアドレスが含まれている。呼接続が確立すると、SMTPにより「HELO」、「MAIL」、「RCTP」を順に送信する（１２０７〜１２０９）。
【００５２】
上記「RCTP」に対する「２５０  OK」を受信した（１２１０）場合、原稿読み取り部１５で読み取った１ページ分のデータを受信情報に合わせて変換して（１２１１）、送信し（１２１２）、相手が受け取ったことを「２５０  OK」を受信することで確認し（１２１３）、１ページ分の送信を終了する（１２１４）。その後、読み取ったすべての原稿の送信を終了するまで、再度「INVITE」を送信して、SMTPによりデータを送信し、すべての原稿を送信したら、「BYE」を送信し、呼接続を切断する（１２１５〜１２１６）。
【００５３】
また、受信端末であるIFAX−B３の動作について図１３に示す。IFAX−B３は、送信端末から呼接続要求である「INVITE」を受け取る（１３０１）と、受信条件を判定（１３０２）、および電子メールアドレスを生成し（１３０３）、この電子メールアドレスを付加して「２００  OK」を返し、呼接続を確立する（１３０４）。その後、SMTPによる「HELO」、「MAIL」、「RCTP」をそれぞれ受け取り（１３０５〜１３０７）、「RCTP」のあて先情報である電子メールアドレスが１３０３で生成した電子メールアドレスと一致しているか判断し（１３０８）、一致していない場合(１３０８：ＮＯ)は、処理を終了して呼接続を切断し、一致している場合（１３０８：ＹＥＳ）は、電子メールデータを受信して出力を行い、全ページ分について同様の処理を続ける（１３０９〜１３１３）。
【００５４】
これにより、実施例１と同様の効果に加えて、ランダムに生成して呼接続された通信相手に予め通知しておいた電子メールアドレスと、その後に電子メールを受信した際の送信先である自己の電子メールアドレスとが一致しない場合、その後の動作を行わないため、迷惑メール等の受信を防ぐことができる。さらに、電子メールの送受信処理の際、電子メールアドレスを秘匿化することができるという効果が得られる。
【００５５】
なお、電子メールアドレスの生成については、「INVITE」メッセージ毎に生成し、メッセージ毎に変更してもよい。
【００５６】
また、電子メールアドレスの比較は、実施例２で説明した送信先の電子メールアドレスの他に、送信元の電子メールアドレスまたは、送受信端末両方の電子メールアドレスを用いてもよい。送信元の電子メールアドレスを用いる場合、受信端末であるIFAX−B３は「ＩＮＶＩＴＥ」でIFAX−Ａ２から送られてきたIFAX−Ａ２の使い捨て電子メールアドレスと電子メール受信時の送信元の電子メールアドレスを比較して、一致したときだけ電子メールを受信するようにすればよい。
【００５７】
さらに、本発明の実施例１、および２は、呼接続を行い、電子メールを送信する機能を持つPC等に応用することができる。
【００５８】
また、上記機能を持ち、様々なメディアを使用するPC等においては、電子メールに原稿だけではなく、テキストや映像を添付し、電子メールを送信することができる。
【００５９】
（実施例３）
次にIP電話機能を用いて電子メールの送達確認をするIFAXについて、図１４〜１８を用いて説明する。なお、実施例１と同一構成部分については便宜上同一符号を付し、その具体的説明は実施例１のものを援用する。
【００６０】
図１４は音声通信を用いて電子メールの送達確認をする際の動作を示すシーケンス図である。まず、IFAX−A２において、原稿を原稿入力部１５にセットし、オフフックの状態（１４０１）で、ダイヤルする（１４０２）と、IFAX−A２は、通話と、電子メール送信を行うと判断し、セットされた原稿を読み取る（１４０３）とともにIFAX−B３に対して「INVITE」を送信する（１４０４）。上記「INVITE」メッセージの構成例を図１５に示す。メッセージボディのメッセージボディには送信条件として、通話に用いる「audio 16000 RTP/AVP 0 2 18」と電子メールを表す「image25 smtp tcp」が記載されている。以下「a＝」としてそれぞれの具体的な条件が記載されている。この「INVITE」を受け取ったIFAX−B３は、「１８０  RINGING」「２００  OK」を返し、呼接続を確立する（１４０５〜１４０６）。ここで、「２００  OK」メッセージの構成例を図１６に示す。メッセージボディには、受信した「INVITE」の送信条件に基づくIFAX−B３の受信条件が記載され、この場合「a=rtpmap:0 PCMU/8000」として通話を、「a＝iso_a4 tiff b/w」として、電子メール受信を同時に行うことが記載されている。
【００６１】
上記送信条件に基づき通話を開始し（１４０８）、同時にSMTPを用いて電子メールを送信し、出力する（１４０９〜１４２６）。原稿入力部１５において、読み取る原稿がある場合にはページ毎に１４０４〜１４２６を繰り返し、原稿を送信する。上記動作により送信する原稿がなくなれば、通話を終了し（１４２７）、「BYE」により呼接続を切断する（１４２８、１４２９）。
【００６２】
ここで、送信端末であるIFAX−A２の動作について図１７に示す。ユーザがIFAX−A２に原稿をセットし、オフフックの状態（１７０１）で、相手の番号をダイヤルすると、IFAX−A2は原稿入力部１５にセットされた原稿の読み取りを開始し、「INVITE」に通話と電子メール送信の条件を記載し、送信する（６０２〜６０４）。受信端末から「２００  OK」を受け取ると（６０５）、呼接続を確立したと判断し、通話を開始し（１７０２）、電子メール送信を開始する（６０６〜６１２）。ページ毎の電子メール送信が終了する（６１３）と、通話を終了し（１７０３）、「BYE」を送信し呼接続を切断する（６１４）。
【００６３】
また、受信端末であるIFAX−B３の動作について図１８に示す。IFAX−B３は、送信端末から呼接続要求である「INVITE」を受け取ると、「２００  OK」を返し、呼接続を確立する（７０１〜７０３）。その後、通話を開始する（１８０１）とともに、SMTPによる電子メール送信を開始する（７０４〜７１０）。その後、送信端末からの応答がなく（１８０２）、電子メールによる送信が終了したら「BYE」を送信するとともに通話、及び呼接続を切断する（１８０３、７１１）。
【００６４】
これにより、実施例１と同様の効果に加えて、さらに音声通信による確認もできるという効果が得られる。
【００６５】
なお、送信条件はページ毎に電子メールを送信する際に変更することができるため、通話は電子メールの送信途中で通話をやめることもでき、また再開することもできる。
【００６６】
さらに、呼接続通信機能、電子メールを送信機能、及び電話機能を持つPC等に応用することができる。
【００６７】
また、上記機能を持ち、様々なメディアを使用するPC等においては、電子メールに原稿だけではなく、テキストや映像を添付し、電子メールを送信することができる。
【産業上の利用可能性】
【００６８】
本発明のIP通信装置は、呼制御部を備え電子メールを送受信するPC、インターネットFAX等に活用することができる。
【図面の簡単な説明】
【００６９】
【図１】本発明の実施例１におけるネットワークシステムの構成図
【図２】同実施例におけるIFAXの機能ブロック図
【図３】同実施例におけるIFAXのシーケンス図
【図４】同実施例における「INVITE」メッセージの構成例を示す図
【図５】同実施例における「２００  OK」メッセージの構成例を示す図
【図６】同実施例における送信端末のフローチャート
【図７】同実施例における受信端末のフローチャート
【図８】本発明の実施例２におけるIFAXの機能ブロック図
【図９】同実施例におけるIFAXのシーケンス図
【図１０】同実施例における「INVITE」メッセージの構成例を示す図
【図１１】同実施例における「２００  OK」メッセージの構成例を示す図
【図１２】同実施例における送信端末のフローチャート
【図１３】同実施例における受信端末のフローチャート
【図１４】本発明の実施例３におけるIFAXのシーケンス図
【図１５】同実施例における「INVITE」メッセージの構成例を示す図
【図１６】同実施例における「２００  OK」メッセージの構成例を示す図
【図１７】同実施例における送信端末のフローチャート
【図１８】同実施例における受信端末のフローチャート
【符号の説明】
【００７０】
２，３    IFAX（IP通信装置）
８    呼制御部
９    音声制御部
１０    通信制御部
１５    原稿入力部
【図１】
2008197880.tif 000003
【図２】
2008197880.tif 000004
【図３】
2008197880.tif 000005
【図４】
2008197880.tif 000006
【図５】
2008197880.tif 000007
【図６】
2008197880.tif 000008
【図７】
2008197880.tif 000009
【図８】
2008197880.tif 000010
【図９】
2008197880.tif 000011
【図１０】
2008197880.tif 000012
【図１１】
2008197880.tif 000013
【図１２】
2008197880.tif 000014
【図１３】
2008197880.tif 000015
【図１４】
2008197880.tif 000016
【図１５】
2008197880.tif 000017
【図１６】
2008197880.tif 000018
【図１７】
2008197880.tif 000019
【図１８】
2008197880.tif 000020